(57)【要約】【課題】既設管の軸線方向のずれを調整するとともに、設置後は軸方向に移動することがない伸縮管継手構造および伸縮管継手を提供する。【解決手段】伸縮管継手１０は第１スリーブ１と第２スリーブ２と、ゴムリング１１と、ハウジング１２と、ハウジング１２を前記第１スリーブおよび前記第２スリーブに固定する固定ボルト１５とを備えている。ハウジング１２と、第１スリーブ１および第２スリーブ２との間に滑り止めリング１７，１８が介在されている。【選択図】図２
2018135967.tif 000002
【特許請求の範囲】
【請求項１】
伸縮管継手において、
第１スリーブと、
この第１スリーブの一端に、その一端が離接可能に接合された第２スリーブと、
前記第１スリーブと前記第２スリーブとの接合部を外周から覆うゴムリングと、
前記ゴムリングを外周から保持するハウジングと、
当該ハウジングを前記第１スリーブおよび前記第２スリーブに固定する固定ボルトとを備え、
前記ハウジングと前記第１スリーブとの間、または前記ハウジングと前記第２スリーブとの間に、滑り止めリングを介在させたことを特徴とする伸縮管継手。
【請求項２】
各滑り止めリングは前記ハウジング側の第１リングと、前記第１スリーブまたは前記第２スリーブ側に設けられた前記第１リング内面に当接する第２リングとを有し、前記第１リング内周面および前記第２リング外周面に微細凹凸形状が形成されていることを特徴とする請求項１記載の伸縮管継手。
【請求項３】
前記ハウジング内周面に前記第１リングが嵌め込まれる第１円周溝が形成され、前記第１スリーブまたは前記第２スリーブ外周面に前記第２リングが嵌め込まれる第２円周溝が形成されていることを特徴とする請求項１記載の伸縮管継手。
【請求項４】
第１スリーブと、
この第１スリーブの一端に、その一端が離接可能に接合された第２スリーブと、
前記第１スリーブと前記第２スリーブとの接合部を外周から覆うゴムリングと、
前記ゴムリングを外周から保持するハウジングと、
当該ハウジングを前記第１スリーブおよび前記第２スリーブに固定する固定ボルトとを備え、
前記ハウジングと前記第１スリーブとの間、または前記ハウジングと前記第２スリーブとの間に、滑り止めリングを介在させた伸縮管継手と、
この伸縮管継手に連結された曲がり自在継手とを備え、
前記曲がり自在継手は、
前記第１スリーブまたは前記第２スリーブの他端にヒンジ機構を介して回動可能に連結された追加スリーブと、
前記第１スリーブまたは前記第２スリーブと、前記追加スリーブとの接合部を外周から覆う追加ゴムリングと、前記追加ゴムリングを外周から保持する追加ハウジングとを有することを特徴とする伸縮管継手構造。
【発明の詳細な説明】
【技術分野】
【０００１】
本発明は既設管の間に設置され、とりわけ既設管の軸線方向のずれを確実に調整することができる伸縮管継手構造および伸縮管継手に関する。
【背景技術】
【０００２】
従来より既設管の間に配置され、この既設管を接合する伸縮管継手構造が知られている。
【０００３】
このような伸縮管継手構造は、既設管の間に設置されるが、既設管の軸線方向のずれおよび偏心方向のずれを調整して設置された後は、軸線方向および偏心方向には移動しない構造のものが求められている。
【０００４】
しかしながら従来より、既設管の間に伸縮管継手構造を設置した後、この伸縮管継手構造がとりわけ軸線方向にずれてしまうことがある。
【先行技術文献】
【特許文献】
【０００５】
【特許文献１】特開平３−２８５１３７号公報
【特許文献２】特開２００５−９１２１５号公報
【特許文献３】特開２００４−５３３１７号公報
【特許文献４】特開２００４−１０３５５号公報
【発明の概要】
【発明が解決しようとする課題】
【０００６】
本発明はこのような点を考慮してなされたものであり、とりわけ既設管に生じる軸線方向のずれを確実に調整することができ、かつ設置後には軸線方向に移動することがない伸縮管継手構造および伸縮管継手を提供することを目的とする。
【課題を解決するための手段】
【０００７】
本発明は、伸縮管継手において、第１スリーブと、この第１スリーブの一端に、その一端が離接可能に接合された第２スリーブと、前記第１スリーブと前記第２スリーブとの接合部を外周から覆うゴムリングと、前記ゴムリングを外周から保持するハウジングと、当該ハウジングを前記第１スリーブおよび前記第２スリーブに固定する固定ボルトとを備え、前記ハウジングと前記第１スリーブとの間、または前記ハウジングと前記第２スリーブとの間に、滑り止めリングを介在させたことを特徴とする伸縮管継手である。
【０００８】
本発明は、各滑り止めリングは前記ハウジング側の第１リングと、前記第１スリーブまたは前記第２スリーブ側に設けられた前記第１リング内面に当接する第２リングとを有し、前記第１リング内周面および前記第２リング外周面に微細凹凸形状が形成されていることを特徴とする伸縮管継手である。
【０００９】
本発明は、前記ハウジング内周面に前記第１リングが嵌め込まれる第１円周溝が形成され、前記第１スリーブまたは前記第２スリーブ外周面に前記第２リングが嵌め込まれる第２円周溝が形成されていることを特徴とする伸縮管継手である。
【００１０】
本発明は、第１スリーブと、この第１スリーブの一端に、その一端が離接可能に接合された第２スリーブと、前記第１スリーブと前記第２スリーブとの接合部を外周から覆うゴムリングと、前記ゴムリングを外周から保持するハウジングと、当該ハウジングを前記第１スリーブおよび前記第２スリーブに固定する固定ボルトとを備え、前記ハウジングと前記第１スリーブとの間、または前記ハウジングと前記第２スリーブとの間に、滑り止めリングを介在させた伸縮管継手と、この伸縮管継手に連結された曲がり自在継手とを備え、前記曲がり自在継手は、前記第１スリーブまたは前記第２スリーブの他端にヒンジ機構を介して回動可能に連結された追加スリーブと、前記第１スリーブまたは前記第２スリーブと、前記追加スリーブとの接合部を外周から覆う追加ゴムリングと、前記追加ゴムリングを外周から保持する追加ハウジングとを有することを特徴とする伸縮管継手構造である。
【発明の効果】
【００１１】
以上のように本発明によれば、既設管の軸線方向のずれを確実に調整することができ、設置後には軸線方向に移動することはない。
【図面の簡単な説明】
【００１２】
【図１】図１は、本発明による基準位置にある伸縮管継手構造を示す上方からみた断面図。
【図２】図２は、基準位置にある伸縮管継手構造を示す側方からみた断面図。
【図３】図３は、伸びた位置にある伸縮管継手構造を示す断面図。
【図４】図４は、曲げられた伸縮管継手構造を示す断面図。
【図５】図５は、基準位置にある伸縮管継手構造を示す平面図。
【図６】図６は、基準位置にある伸縮管継手構造を示す側面図。
【図７】図７は、伸びた位置にある伸縮管継手構造を示す側面図。
【図８】図８は、曲げられた伸縮管継手構造を示す側面図。
【図９】図９は、ハウジングと滑り止めリングを示す分解斜視図。
【図１０】図１０（ａ）（ｂ）は、第１スリーブ、第２スリーブ、滑り止めリングを示す分解斜視図。
【発明を実施するための形態】
【００１３】
以下、図面を参照して、本発明による伸縮管継手構造の実施の形態について説明する。
【００１４】
本発明による伸縮管継手構造１０Ａは既設管７，８間に設置され、これら既設管７，８を接合するものである。
【００１５】
すなわち、既設管７，８はその軸線方向および偏心方向に関し設計値に比べてずれが生じており、この既設管７，８の軸線方向および偏心方向のずれ量は、現場毎に異なる。
【００１６】
本実施の形態による伸縮管継手構造１０Ａは、既設管７，８間の軸線方向および偏心方向のずれを吸収するよう既設管７，８間に設置され、設置後は軸線方向および偏心方向へは伸縮管継手構造１０Ａ自体が変化しない構造をもつ。
【００１７】
このような伸縮管継手構造１０Ａは、既設管７，８間に設置された伸縮管継手１０と、伸縮管継手１０の両側に連結された一対の曲がり自在継手２０，３０とを備えている。
【００１８】
このうち伸縮管継手１０について、以下詳述する。伸縮管継手１０は、図１乃至図４に示すように第１スリーブ１と、この第１スリーブ１に離接可能に接合された第２スリーブ２とを備えている。この場合、第１スリーブ１の一端に第２スリーブ２の一端が接合される。
【００１９】
また第１スリーブ１と第２スリーブ２との接合部に、この接合部を外周から覆うゴムリング１１が設けられ、このゴムリング１１はゴムリング１１の外周に設けられた鋼製のハウジング１２により保持されている。
【００２０】
第１スリーブ１と第２スリーブ２は、わずかに互いに離間して配置され、この第１スリーブ１と第２スリーブ２とは軸線方向に離接可能となっている。
【００２１】
またハウジング１２は図９および図１０に示すように、２つ割れされた分割部分１２ａ，１２ｂからなり、各分割部分１２ａ，１２ｂは軸線方向に延びるフランジ１３ａ，１３ｂを有する。そして分割部分１２ａのフランジ１３ａと分割部分１２ｂのフランジ１３ｂに固定ボルト１５を取り付け、この固定ボルト１５を締付ける。このことにより分割部分１２ａ，１２ｂは互いに押圧され、ハウジング１２が第１スリーブ１および第２スリーブ２外周に固定される。
【００２２】
またハウジング１２と第１スリーブ１との間、およびハウジング１２と第２スリーブ２との間に鋼製の滑り止めリング１７，１８が介在され、この滑り止めリング１７，１８を介して、ハウジング１２と、第１スリーブ１および第２スリーブ２とが軸線方向にずれないようになっている。
【００２３】
なお、ハウジング１２と第１スリーブ１との間、およびハウジング１２と第２スリーブ２との間のうちの一方のみ、例えばハウジング１２と第１スリーブ１との間のみに滑り止めリング１７を介在させてもよい。
【００２４】
滑り止めリング１７，１８について更に述べる。図９および図１０に示すように滑り止めリング１７はハウジング１２側の第１リング１７ａと、第１スリーブ１側の第２リング１７ｂとを有している。この場合、ハウジング１２内周面に第１リング１７ａが嵌め込まれる第１円周溝１４が形成され、第１スリーブ１の外周面に第２リング１７ｂが嵌め込まれる第２円周溝１ａが形成されている。そしてハウジング１２の第１円周溝１４内に第１リング１７ａが嵌め込まれ、第１スリーブ１の第２円周溝１ａ内に第２リング１７ｂが嵌め込まれることにより、第１リング１７ａがハウジング１２内周面上で軸線方向に固定され、第２リング１７ｂが第１スリーブ１外周面上で軸線方向に固定される。
【００２５】
また第１リング１７ａの内周面および第２リング１７ｂの外周面上に各々微細凹凸形状が形成されており、このため第１リング１７ａと第２リング１７ｂも軸線方向にずれない構造となっている。このような微細凹凸形状としては、例えば、ＪＩＳ  Ｂ０９５１−１９６２に規定されてローレット目状の微細凹凸形状、またはねじ加工による凹凸形状、又はブラスト処理による無数の凹凸形状で形成される粗面を用いることができる。
【００２６】
同様に滑り止めリング１８はハウジング１２側の第１リング１８ａと、第２スリーブ２側の第２リング１８ｂとを有している。この場合、ハウジング１２内周面に第１リング１８ａが嵌め込まれる第１円周溝１４が形成され、第２スリーブ２の外周面に第２リング１８ｂが嵌め込まれる第２円周溝２ａが形成されている。そしてハウジング１２の第１円周溝１４内に第１リング１８ａが嵌め込まれ、第２スリーブ２の第２円周溝２ａ内に第２リング１８ｂが嵌め込まれることにより、第１リング１８ａがハウジング１２内周面上で軸線方向に固定され、第２リング１８ｂが第２スリーブ２外周面上で軸線方向に固定される。
【００２７】
また第１リング１８ａの内周面および第２リング１８ｂの外周面上に各々上述したものと同一の微細凹凸形状が形成されており、このため第１リング１８ａと第２リング１８ｂも軸線方向にずれない構造となっている。
【００２８】
次に一対の曲がり自在継手２０，３０について説明する。このうち曲がり自在継手２０は第１スリーブ１の他端部に、後述する第１ヒンジ２５と第２ヒンジ２６とを介して回動可能に連結された追加スリーブ３を有する。
【００２９】
また第１スリーブ１と追加スリーブ３との接合部３Ａを半径方向外方から囲むシールスリーブ２７が設けられ、シールスリーブ２７の内面と第１スリーブ１外面との間およびシールスリーブ２７内面と追加スリーブ３外面の間には、各々密封ゴムリング２８、２８が介在されている。
【００３０】
次に第１ヒンジ２５と第２ヒンジ２６について述べる。図１乃至図８に示すように、第１ヒンジ２５は第１スリーブ１に溶接により固着された端板２５ａと、端板２５ａから第２ヒンジ２６側へ延びる円筒状の連結部２５ｂとを有し、連結部２５ｂは端板２５ａに取付ボルト２５ｄにより取付けられている。
【００３１】
さらに連結部２５ｂは回動体２３に連結されている。
【００３２】
また第２ヒンジ２６は追加スリーブ３に溶接により固着された端板２６ａと、端板２６ａから第１ヒンジ２５側へ延びる円筒状の連結部２６ｂとを有し、連結部２６ｂは端板２６ａに取付ボルト２６ｄにより取付けられている。
【００３３】
さらに連結部２６ｂは回動体２４に連結されている。
【００３４】
このような構造をもつ第１ヒンジ２５と第２ヒンジ２６とによって、ヒンジ機構が構成され、第１ヒンジ２５の回動体２３と第２ヒンジ２６の回動体２４とはヒンジピン２２により回動可能に連結されている。
【００３５】
また曲がり自在継手３０は、第２スリーブ２の他端部に後述する第１ヒンジ３５と第２ヒンジ３６とを介して回動可能に連結された追加スリーブ４を有する。
【００３６】
また第２スリーブ２と追加スリーブ４との接合部４Ａを半径方向外方から囲むシールスリーブ３７が設けられ、シールスリーブ３７の内面と第２スリーブ２外面との間およびシールスリーブ３７内面と追加スリーブ４外面の間には、各々密封ゴムリング３８、３８が介在されている。
【００３７】
次に第１ヒンジ３５と第２ヒンジ３６について更に述べる。第１ヒンジ３５は第２スリーブ２に溶接により固着された端板３５ａと、端板３５ａから第２ヒンジ３６側へ延びる円筒状の連結部３６ｂとを有し、連結部３６ｂは端板３５ａに取付ボルト３５ｄにより取付けられている。
【００３８】
さらに連結部３５ｂは回動体３３に連結されている。
【００３９】
また第２ヒンジ３６は追加スリーブ４に溶接により固着された端板３６ａと、端板３６ａから第１ヒンジ３５側へ延びる円筒状の連結部３６ｂとを有し、連結部３６ｂは端板３６ａに取付ボルト３６ｄにより取付けられている。
【００４０】
さらに連結部３６ｂは回動体３４に連結されている。
【００４１】
このような構造をもつ第１ヒンジ３５と第２ヒンジ３６とによって、ヒンジ機構が構成され、第１ヒンジ３５の回動体３３と第２ヒンジ３６の回動体とはヒンジピン３２により回動自在に連結されている。
【００４２】
また曲がり自在継手２０には、第１ヒンジ２５の連結部２５ｂと第２ヒンジ２６の連結部２６ｂとの間に延びる調整ボルト２１が設けられ、この調整ボルト２１を締付けることにより、第１ヒンジ２５に対する第２ヒンジ２６の傾斜角を定めることができる。
【００４３】
また曲がり自在継手３０には、第１ヒンジ３５の連結部３５ｂと第２ヒンジ３６の連結部３６ｂとの間に延びる調整ボルト３１が設けられ、この調整ボルト３１を締付けることにより、第１ヒンジ３５に対する第２ヒンジ３６の傾斜角を定めることができる。
【００４４】
また追加スリーブ３と既設管７との間にはゴムリング５１が設けられ、このゴムリング５１は分割されたハウジング５０により保持されている。また分割されたハウジング５０は固定ボルト５２により固定される。さらに追加スリーブ４と既設管８との間にはゴムリング６１が設けられ、このゴムリング６１は分割されたハウジング６０により保持されている。また分割されたハウジング６０は固定ボルト６２により固定される。
【００４５】
次にこのような構成からなる本実施の形態の作用について説明する。
【００４６】
まず既設管７，８が設計通りに施工され、既設管７，８間で軸線方向および偏心方向にずれがない場合、伸縮管継手１０と一対の曲がり自在継手２０，３０とを有する伸縮管継手構造１０Ａが既設管７，８内において基準状態に設置され、この伸縮管継手構造１０Ａにより既設管７，８が接合される（図１、図２、図５、図６参照）。
【００４７】
次に既設管７，８が軸線方向にずれている場合、伸縮管継手１０の固定ボルト１５を緩め、ハウジング１２内において第１スリーブ１と第２スリーブ２とを軸線方向に移動させ、第１スリーブ１と第２スリーブ２を軸線方向に沿って所定位置に定める。
【００４８】
次に固定ボルト１５を締付け、ハウジング１２を第１スリーブ１と第２スリーブ２の外周に固定する。
【００４９】
この場合、第１スリーブ１とハウジング１２との間は滑り止めリング１７によって軸線方向に固定され、第２スリーブ２とハウジング１２との間は滑り止めリング１８によって軸線方向に固定される。
【００５０】
このことにより第１スリーブ１と第２スリーブ２とを軸線方向に沿って堅固に固定することができる（図３および図７参照）。
【００５１】
このように伸縮管継手１０を軸線方向に伸縮させた後、伸縮管継手構造１０Ａを既設管７，８間に設置し、伸縮管継手構造１０Ａを既設管７，８に接合する。このことにより既設管７，８間を伸縮管継手構造１０Ａにより確実に接合することができる。
【００５２】
また伸縮管継手構造１０Ａを既設管７，８間に設置した後は、伸縮管継手構造１０Ａは軸線方向に伸縮することはない。
【００５３】
次に既設管７，８が偏心方向にずれている場合、一対の曲がり自在継手２０，３０の一方または双方を所望角度まで曲げる（図４および図８参照）。
【００５４】
この場合、例えば曲がり自在継手２０の調整ボルト２１を動作させることにより、曲がり自在継手２０の傾斜角を定めることができ、同様に曲がり自在継手２０の調整ボルト３１を動作させることにより、曲がり自在継手３０の傾斜角を定めることができる。
【００５５】
このように曲がり自在継手２０，３０を所望角度まで曲げた後、伸縮管継手構造１０Ａを既設管７，８に接合する。このことにより既設管７，８間を伸縮管継手構造１０Ａにより確実に接合することができる。
【００５６】
このように伸縮管継手構造１０Ａを既設管７，８間に設置した後は、伸縮管継手構造１０Ａの曲がり自在継手２０，３０が曲がることはない。
【符号の説明】
【００５７】
１  第１スリーブ
１ａ  第２円周溝
２  第２スリーブ
２ａ  第２円周溝
３  追加スリーブ
４  追加スリーブ
７  既設管
８  既設管
１０  伸縮管継手
１０Ａ  伸縮管継手構造
１１  ゴムリング
１２  ハウジング
１４  第１円周溝
１５  固定ボルト
１７  滑り止めリング
１７ａ  第１リング
１７ｂ  第２リング
１８  滑り止めリング
１８ａ  第１リング
１８ｂ  第２リング
２０  曲がり自在継手
３０  曲がり自在継手
【図１】
2018135967.tif 000003
【図２】
2018135967.tif 000004
【図３】
2018135967.tif 000005
【図４】
2018135967.tif 000006
【図５】
2018135967.tif 000007
【図６】
2018135967.tif 000008
【図７】
2018135967.tif 000009
【図８】
2018135967.tif 000010
【図９】
2018135967.tif 000011
【図１０】
2018135967.tif 000012